(57)【要約】【課題】プラントに対する各監視機能に対応した監視機能画面が階層化されている場合でも、簡単に所望の監視機能画面が表示されるようにしてオペレータの操作の手間を軽減できるプラント監視装置を提供する。【解決手段】ＩＣタグ１ａにプラントに対する階層化された監視機能の内から所望の階層の監視機能を選択する機能選択情報を記録しておく。ＩＣタグ読取装置１ｃでＩＣタグ１ａの情報を読み取り、データ処理装置２において、この機能選択情報に基づいて、各監視機能に対応した監視機能画面を保有している監視機能画面保有部２ｆの中から所定の監視機能画面を選択してプラントデータと共に表示装置３に出力する。【選択図】図１
2007310802.tif 000002
【特許請求の範囲】
【請求項１】
プラントに対する階層化された監視機能の内から所望の階層の監視機能を選択する機能選択情報が書き込まれたＩＣタグ、このＩＣタグの情報を読み取るＩＣタグ読取装置、上記プラントから得られる各種のプラントデータを入力するプラントデータ入力装置、上記の各監視機能に対応した監視機能画面を保有する監視機能画面保有手段、上記プラントデータと上記監視機能画面とを共に表示する表示装置、および上記の各部を統括制御するとともに、上記ＩＣタグから得られる機能選択情報に基づき、この情報に対応した所定の監視機能画面を上記監視機能画面保有手段の中から選択して上記プラントデータと共に上記表示装置に出力するデータ処理装置を備えることを特徴とするプラント監視装置。
【請求項２】
データを出力処理する出力処理装置と、上記選択表示された監視機能画面に対応した監視機能に関連したデータを上記出力処理装置に出力する出力指令情報が書き込まれたＩＣタグとを有し、上記データ処理装置は、上記ＩＣタグから得られる出力指令情報に基づいて上記監視機能に関連したデータを上記出力処理装置へ出力するものであることを特徴とする請求項１記載のプラント監視装置。
【請求項３】
上記監視機能画面保有手段の中から選択される監視機能画面が複数ページに渡る場合、その監視機能画面の各ページの前進／後進操作、あるいはスクロール操作を行うためのページ変更操作情報が書き込まれたＩＣタグを有し、上記データ処理装置は、このＩＣタグに書き込まれた上記ページ変更操作情報に基づいて上記表示装置を制御して監視機能画面の必要なページ数分だけ前進／後進、あるいはスクロールするものであることを特徴とする請求項１記載のプラント監視装置。
【請求項４】
上記監視機能画面保有手段の中から選択される監視機能画面が複数ページに渡る場合、その監視機能画面の各ページを所定周期で前進／後進操作、あるいは所定周期でスクロール操作するページ表示周期変更操作情報が書き込まれたＩＣタグを有し、上記データ処理装置は、このＩＣタグに書き込まれた上記ページ表示周期変更操作情報に基づいて上記表示装置を制御して監視機能画面の必要なページを所定周期で前進／後進、あるいは所定周期でスクロールするものであることを特徴とする請求項１記載のプラント監視装置。
【請求項５】
上記選択表示された監視機能画面に対応した監視機能に関連した設定データが記録されたＩＣタグを有し、上記データ処理装置は、上記ＩＣタグに書き込まれた設定データに基づいて、プラントを監視するとともに、上記表示装置を制御して監視機能画面に設定データを表示することを特徴とする請求項１ないし請求項４のいずれか１項に記載のプラント監視装置。
【請求項６】
複数の機能選択情報を同時選択する複数機能選択情報が書き込まれたＩＣタグを有し、上記データ処理装置は、上記ＩＣタグから得られる複数機能選択情報に基づき、これら複数機能選択情報に対応した複数の監視機能画面を上記監視機能画面保有手段の中から選択して上記表示装置に同時に出力するものであり、表示装置にはこれら複数の監視機能画面がマルチ画面として一括表示されることを特徴とする請求項１記載のプラント監視装置。
【請求項７】
上記マルチ画面表示されている複数の監視機能画面の内から特定の監視機能画面を抽出するマルチ画面内機能抽出情報が書き込まれたＩＣタグを有し、上記データ処理装置は、このＩＣタグに書き込まれた上記マルチ画面内機能抽出情報に基づいて上記複数の監視機能画面の内から特定の監視機能画面を抽出するとともに、上記表示装置を制御して抽出した監視機能画面を拡大表示するものであることを特徴とする請求項６記載のプラント監視装置。
【発明の詳細な説明】
【技術分野】
【０００１】
本発明は、プラントの運転、制御、操作、監視を行うプラント監視装置に関する。
【背景技術】
【０００２】
一般に、プラント監視装置は、操作室などの専用の場所に設置されていて、監視対象となるプラントからのプラントデータが入力されるデータ入力部、プラントを監視する監視画面を表示する表示装置、プラントの監視操作を行うマンマシン入力部、および上記の各部を制御するデータ処理装置を備えている。この場合、各種プラントに合わせて独特の監視機能や、画面展開、操作方式が採用されており、複数のオペレータが共用で使用できるようになっている（例えば特許文献１参照）。
【０００３】
従来のプラント監視装置では、最初にメイン画面が表示され、そこからオペレータが、必要とする監視機能に対応した監視機能画面を選択表示してプラントの監視や操作を行う。この場合、プラントに対する監視機能は多岐にわたっているので、それぞれの特徴によって機能分類されて階層構造になっている。したがって、各監視機能に対応した多数の監視機能画面も階層化されている。
【０００４】
このため、従来、オペレータは必要なときに、タッチパネル、マウス、キーボードといったマンマシン入力部から要求内容を入力して、機能階層毎の機能メニューを何回も繰返して指定することにより、最終的に所望の監視機能を表示する監視機能画面を選択して監視、操作を行っている。
【０００５】
また、担当の異なる別のオペレータがプラントを監視、操作する場合や、同一のオペレータが別な監視機能を使用する場合にも同様に、マンマシン入力部より入力、操作を繰返して、オペレータが必要とする監視機能画面を表示するようにしている。さらに、所望の監視機能画面が表示された後も、この監視機能画面を用いて監視機能の関連データを出力したり、関連データを設定入力したり、また監視機能画面が複数ページに渡っているときにはページの前進／後進といったページ送りやスクロールの操作を行う。
【０００６】
なお、従来、ＩＣタグを用いた保守管理システムとして、個別機器の購入、保管、使用、点検、修理などを行うために、個別機器にＩＣタグを付着させ、このＩＣタグに書き込まれた情報を読み取ることで、個別機器の状態管理、履歴管理、発注管理などを行うようにしたものがある（例えば、特許文献２参照）。
【０００７】
【特許文献１】特開平１１−２４９７２６号公報
【特許文献２】特開２００５−１８２６１９号公報
【発明の開示】
【発明が解決しようとする課題】
【０００８】
上記のように、特許文献１に記載されているような従来のプラント監視装置では、プラントに対する監視機能が多岐にわたって階層的構造となっていて、各監視機能に対応した監視機能画面も階層化されているので、機能メニューの表示、選択を繰り返して最終的に所望の監視機能画面を表示するなど、監視操作の開始から所望の監視機能画面を表示するまでに多くの操作を必要としている。
【０００９】
しかも、監視機能ごとに監視機能画面に対する操作方法が異なるため、オペレータは各監視機能画面に対する操作方法を記憶して、十分に操作方法を習得していなく必要がある。さらに、担当の異なる複数のオペレータが監視目的に応じて一つのプラント監視装置を共用して監視を行っているため、オペレータが替わる度にプラント監視装置の監視機能画面を選択する必要があり、その度に多くの操作が必要となっている。
【００１０】
このように、従来は、所望の監視機能画面を表示するのに至るまでの操作回数が多くて操作に時間が長くかかり、また、操作方法も難しので、オペレータに余分な時間と労力をかけることになり大きな負担を強いている。
【００１１】
また、特許文献２に記載されているような従来の保守管理システムは、個別機器の状態管理、履歴管理、発注管理などを行うためにＩＣタグを使用するものであり、従来、プラントの監視機能操作の負担を軽減するためにＩＣタグを使用するような技術は見当たらない。
【００１２】
本発明は、上記の問題点を解決するためになされたものであり、プラントに対する各監視機能に対応した監視機能画面が階層化されている場合でも、所望の監視機能画面が表示されるまでに至るオペレータの操作の手間を省くことができ、また、所望の監視機能画面に対する各種の監視操作も簡単に行うことができて、オペレータの監視操作の際の負担を大幅に軽減することが可能なプラント監視装置を提供することを課題とする。
【課題を解決するための手段】
【００１３】
本発明のプラント監視装置は、上記の課題を解決するため、プラントに対する階層化された監視機能の内から所望の階層の監視機能を選択する機能選択情報が書き込まれたＩＣタグ、このＩＣタグの情報を読み取るＩＣタグ読取装置、上記プラントから得られる各種のプラントデータを入力するプラントデータ入力装置、上記の各監視機能に対応した監視機能画面を保有する監視機能画面保有手段、上記プラントデータと上記監視機能画面とを共に表示する表示装置、および上記の各部を統括制御するとともに、上記ＩＣタグから得られる機能選択情報に基づき、この情報に対応した所定の監視機能画面を上記監視機能画面保有手段の中から選択して上記プラントデータと共に上記表示装置に出力するデータ処理装置を備えることを特徴としている。
【発明の効果】
【００１４】
本発明によれば、プラント監視装置のマンマシンインタフェイスとして機能選択情報が書き込まれたＩＣタグを使用し、このＩＣタグをＩＣタグ読取装置に対してかざすだけで、自動的に所望の監視機能に対応した監視機能画面が選択表示されるため、オペレータが操作手順を十分に習得しておかなくても、常に正しい監視操作を行える。そして、ＩＣタグに機能選択情報を一旦記録しておけば、繰返し使用が可能となるので、複数のオペレータが同じ装置を共用して使用する場合でも、監視操作を効率的に行うことができる。その結果、オペレータの監視操作の負担が大幅に軽減され、かつ操作ミスを無くすことができる。
【００１５】
さらに、操作情報の入力機器がＩＣタグのみと簡素化され、かつ操作が簡単になることから、従来のデスクトップ型の構造から、壁掛け型、現場設置型、モバイル型などへの展開が可能となる。さらに、ＩＣタグも手に持つだけでなく、上腕部分や帽子などに縫い付けるなどしておけば、ハンズフリー、アイフリーで監視操作が可能となる。
【発明を実施するための最良の形態】
【００１６】
実施の形態１．
図１は本発明の実施の形態１におけるプラント監視装置の全体を示す構成図である。
【００１７】
この実施の形態１のプラント監視装置は、プラント５に対する階層化された監視機能の内から所望の階層の監視機能を選択する機能選択情報が書き込まれたＩＣタグ１ａ、このＩＣタグ１ａに情報を書き込むＩＣタグ書込装置１ｂ、ＩＣタグ１ａの情報を読み取るＩＣタグ１ａ読取装置、プラント５から得られる各種のプラントデータを入力するプラントデータ入力装置４、監視機能画面にプラントデータを重ねて表示する表示装置３、および上記の各部を統括制御するとともに、ＩＣタグ１ａから得られる機能選択情報に基づき、この情報に対応した所定の監視機能画面を後述する監視機能画面保有部２ｆの中から選択してプラントデータと共に表示装置３に出力するデータ処理装置２を備えている。そして、ＩＣタグ書込装置１ｂは例えば事務所などに設置され、また、ＩＣタグ読取装置１ｃとデータ処理装置２は例えば操作室などに設置される。
【００１８】
そして、上記のデータ処理装置２は、ＩＣタグ入力部２ａ、入力判定部２ｂ、メイン画面保有部２ｃ、メイン画面更新情報作成部２ｄ、監視機能画面保有部２ｆ、監視機能画面選択部２ｅ、監視機能画面更新情報作成部２ｇ、プラントデータ入力部２ｈ、および表示画面出力部２ｉを有する。
【００１９】
プラントに対する監視機能は多岐にわたっているので、図２に示すように、各監視機能は、監視種別、監視機能グループ、グループ内機能など、その特徴によって機能分類されて階層構造になっており、このため、各監視機能に対応した多数の監視機能画面も階層化されている。そして、このように階層化された監視機能画面を表示するための各データが監視機能画面保有部２ｆにデータベースとして格納されている。
【００２０】
したがって、上記のＩＣタグ１ａには、図３に示すように、ＩＣタグ書込装置１ｂによって階層構造の監視機能の内から所望の階層の監視機能を選択する機能選択情報が記録されている。例えば、機能階層構造の階層１の機能２の選択、階層２の機能ｅの選択、階層３の機能オの選択、…など、必要階層分を順次選択して、最終的に所望の監視機能画面が選択されるように機能選択情報が記録されている。
【００２１】
そして、このような監視機能画面の機能選択情報が書き込まれたＩＣタグ１ａをＩＣタグ読取装置１ｃにかざすことにより、その記録情報が読み取られてデータ処理装置２内のＩＣタグ入力部２ａに情報が取り込まれる。そして、監視機能画面選択部２ｅは、機能選択情報の内容に応じて、監視機能画面保有部２ｆが保有している監視機能画面の内から所定の監視機能画面を選択する。
【００２２】
すなわち、ＩＣタグ入力部２ａから機能選択情報が何も入力されないときには、入力判定部２ｂはメイン画面保有部２ｃのメイン画面表示を選択するように指示するので、メイン画面保有部２ｃでデータベースとして保有されているメイン画面がメイン画面更新情報作成部２ｄに与えられる。そして、メイン画面更新情報作成部２ｄは、メイン画面にプラントデータが付加された表示情報を作成する。
【００２３】
また、ＩＣタグ入力部２ａから機能選択情報が入力されたときには、入力判定部２ｂは監視機能画面選択部２ｅは監視機能画面を選択するように指示するので、監視機能画面選択部２ｅは、この機能選択情報に基づいて監視機能画面保有部２ｆが保有している監視機能画面の内から所定の監視機能画面を選択し、この選択された監視機能画面を監視機能画面更新情報作成部２ｇに与える。そして、監視機能画面更新情報作成部２ｇは、選択された監視機能画面にプラントデータが付加された表示情報を作成する。
【００２４】
表示画面出力部２ｉは、メイン画面更新情報作成部２ｄで作成された表示情報、あるいは監視機能画面更新情報作成部２ｇで作成された表示情報を表示装置３に出力するので、表示装置３にはメイン画面あるいはＩＣタグ１ａの情報により選択された所望の監視機能画面が表示される。なお、表示画面出力部２ｉは、監視機能画面更新情報作成部２ｇで作成された表示情報が存在するときには、メイン画面更新情報作成部２ｄで作成された表示情報よりも優先してこれを出力するようになっている。
【００２５】
メイン画面更新情報作成部２ｄおよび機能画面更新情報作成部２ｇにおいてそれぞれ作成される画面に反映されるプラントデータは、プラント５からプラントデータ入力装置４を経由してプラントデータ入力部２ｈに取り込まれて各更新情報作成部２ｄ，２ｇに与えられることによりプラントデータの更新情報として使用される。
【００２６】
次に、上記構成のプラント監視装置におけるデータ処理装置２の具体的な制御動作について、図４に示すフロー図に基づいて説明する。なお、以降において符号ｓは各処理ステップを意味する。
【００２７】
データ処理装置２は、処理が開始されると、メイン画面表示処理（ｓ１）、プラントデータ入力処理（ｓ２）、およびメイン画面更新表示処理（ｓ３）を行い、これにより、表示装置３にはプラントデータを反映したメイン画面が表示される。メイン画面はメイン画面保有部２ｃのデータベースから読み出される。
【００２８】
入力判定部２ｂは、ＩＣタグ１ａからの情報入力が有るか否かを判定し（ｓ４）、ＩＣタグ１ａからの情報入力があるまでｓ２に戻る。ＩＣタグ１ａからの情報入力が有ると、ＩＣタグ１ａの情報を読み込み（ｓ５）、そのＩＣタグ１ａの情報に機能選択情報が含まれているか否かを判定する（ｓ６）。このとき、監視機能画面の機能選択情報が含まれておれば、次段のｓ７に移行し、含まれていなければ処理終了となる。
【００２９】
ｓ７において、監視機能画面選択部２ｅは、ＩＣタグ１ａに書き込まれている機能選択情報に基づいて監視機能画面保有部２ｆが保有している監視機能画面の内から所定の監視機能画面を選択するので、監視機能画面更新情報作成部２ｇは、この選択された監視機能画面の表示処理（ｓ８）、プラントデータ入力処理（ｓ９）、監視機能画面更新表示処理（ｓ１０）を行い、これにより、表示装置３にはプラントデータを反映した監視機能画面が表示される。
【００３０】
そして、入力判定部２ｂは、他のＩＣタグ１ａからの情報入力が有るか否かを判定し（ｓ１１）、ＩＣタグ１ａからの情報入力があるまでｓ９に戻る。他のＩＣタグ１ａからの情報入力が有ると、ＩＣタグ１ａの情報を読み込み（ｓ１２）、そのＩＣタグ１ａの情報に機能選択情報が含まれているか否かを判定する（ｓ１３）。このとき、ＩＣタグ１ａに監視機能画面の機能選択情報が含まれておればｓ７に戻り、その機能選択情報に基づく新たな監視機能画面の表示処理に移行する。また、メイン画面表示要求であればｓ１に戻る。
【００３１】
以上のように、この実施の形態１においては、機能選択情報が記録されたＩＣタグを用いることにより、階層構造の多数の監視機能から必要な監視機能をもつ監視機能画面を直ちに表示することができる。また、その監視機能画面が表示された状態から別な監視機能画面が必要となった場合には、別の機能選択情報が記録されたＩＣタグ１ａを使用することにより、別な監視機能をもつ監視機能画面が直ちに表示される。
【００３２】
したがって、従来は、階層的構造の監視機能に対応した監視機能画面の内から所望の監視機能画面を最終的に表示するためには、機能メニューの表示、選択といった多くの操作を繰り返す必要があり、また、操作方法を習熟しておく必要があるなど、操作性が悪かったが、この実施の形態１のように、ＩＣタグ１ａを使用すれば何回でも同じ選択が直ちに可能であり、また複数のオペレータが交互に監視表示を行っても速やかに所望の監視機能画面を表示することができる。このため、オペレータの監視操作の負担が大幅に軽減され、かつ操作ミスを無くすことができ、効率的な監視操作を行える。
【００３３】
実施の形態２．
図５はこの実施の形態２においてＩＣタグ１ａに書き込まれている情報の説明図、図６はこの実施の形態２におけるプラント監視装置の要部を示す構成図である。
【００３４】
プラントを監視する際には、選択表示された監視機能画面に対応した監視機能に関連したプラントデータなどを外部に出力して記録しておきたいことがある。そこで、この実施の形態２では、ＩＣタグ１ａに、図５に示すように、選択表示された監視機能画面において監視機能に関連したデータを外部に出力する出力指令情報、例えば、データ出力装置や出力形態の種別、データ出力範囲などを指定する情報が記録されている。
【００３５】
一方、プラント監視装置には、図６に示すように、データを出力処理するプリンタ、ハードコピー装置、メモリ装置などの出力処理装置６が設けられ、また、データ処理装置２には、出力データ作成部と出力処理部２ｋとが設けられている。
【００３６】
そして、入力判定部２ｂでＩＣタグ１ａからの入力情報を判定し、ＩＣタグ１ａに記録されている出力指令情報に基づいて出力データ作成部２ｊにおいて選択表示された監視機能画面に関連したプラントの出力データが作成され、この出力データが出力処理部２ｋから出力処理装置６に出力されるようになっている。
その他の構成は図１に示した実施の形態１と同様であるから、ここでは詳しい説明は省略する。
【００３７】
次に、この実施の形態２のプラント監視装置におけるデータ処理装置２の具体的な制御動作について、図７に示すフロー図に基づいて説明する。
【００３８】
図７において、ｓ８で監視機能画面が表示されるまでの処理ステップは、図４に示したフロー図のｓ１〜ｓ７の場合と同じである。さらに、図７のｓ８〜ｓ１２までの処理ステップの内容も図４に示したフロー図のｓ８〜ｓ１２と同じである。
【００３９】
ここで、ｓ１２においてＩＣタグ１ａの情報を読み込むと、入力判定部２ｂは、そのＩＣタグ１ａの情報に出力指令情報が含まれているか否かを判定する（ｓ１３）。このとき、ＩＣタグ１ａに出力指令情報が含まれておれば、出力データ作成部２ｊがこの出力指令情報から監視機能に関連した出力データを作成し（ｓ１４）、出力処理部２ｋを経由して選択された出力処理装置６へ出力する（ｓ１５）。データ出力後はｓ９に戻ってプラントデータを取り込み、画面の更新表示に移行する。
【００４０】
なお、ｓ１３でＩＣタグ１ａの情報に出力指令情報が含まれていないと判定したときには、入力判定部２ｂは、続いて、他のＩＣタグ１ａから入力される情報に他の機能選択情報が含まれているか否かを判定する（ｓ１７）。そして、ＩＣタグ１ａに他の監視機能画面の機能選択情報が含まれておればｓ７に戻り、その機能選択情報に基づく新たな監視機能画面の表示処理に移行する。また、メイン画面表示要求であればｓ１に戻る。
その他の処理ステップは、実施の形態１と同じであるから、ここでは詳しい説明は省略する。
【００４１】
以上のように、この実施の形態２では、プラントを監視する際に、選択表示された監視機能画面において監視機能に関連したデータを外部に出力して記録しておきたいような場合、必要な出力指令情報が記録されたＩＣタグ１ａを使用することにより、自動的に監視機能に関連したデータが出力されるために円滑に必要なデータを入手することができる。
【００４２】
また、従来はタッチパネルやマウスなどを操作して出力情報入力ウィンドウを開いて入力を行った後に初めてデータの出力処理が可能になるため、監視機能画面が隠された状態になるといった不便を生じていたが、この実施の形態２ではプラントデータが出力処理装置６に出力される間も監視機能画面の表示が阻害されることはなく便利である。
【００４３】
実施の形態３．
図８はこの実施の形態３においてＩＣタグ１ａに書き込まれている情報の説明図、図９はこの実施の形態３におけるプラント監視装置の要部を示す構成図である。
【００４４】
プラントを監視する際、選択表示された監視機能画面が複数ページに渡っている場合、表示装置３には複数ページに渡る監視機能画面を一括して表示できないことがある。そこで、この実施の形態３において、ＩＣタグ１ａには、図８に示すように、その選択表示された監視機能画面のページの前進／後進操作、あるいはスクロール操作を行うためのページ変更操作情報、例えば、所望のページの画面に到達するまでのページ送り数やスクロール数の情報が記録されている。
【００４５】
一方、プラント監視装置のデータ処理装置２には、図９に示すように、ページ変更表示処理部２ｌが付設されている。そして、入力判定部２ｂでＩＣタグ１ａからの入力情報を判定し、ページ変更操作情報が含まれていると、この情報に基づいて、ページ変更表示処理部２ｌにおいて監視機能画面選択部２ｅで予め選択された複数ページに渡る監視機能画面の内から所定のページを選択し、これを監視機能画面更新情報作成部２ｇに与えることで、表示装置３には選択表示された監視機能画面の内からページ前進／後進、あるいはスクロールされた所望のページの画面が表示されるようになっている。
その他の構成は図１に示した実施の形態１と同様であるから、ここでは詳しい説明は省略する。
【００４６】
次に、この実施の形態３のプラント監視装置におけるデータ処理装置２の具体的な制御動作について、図１０に示すフロー図に基づいて説明する。
【００４７】
図１０において、ｓ８で所望の監視機能画面が選択表示されるまでの処理ステップは、図４に示したフロー図（実施の形態１）のｓ１〜ｓ８の場合と同じである。さらに、図１０のｓ９〜ｓ１２までの処理ステップの内容も図４に示したフロー図のｓ９〜ｓ１２と同じである。
【００４８】
ここで、ｓ１２においてＩＣタグ１ａの情報を読み込むと、入力判定部２ｂは、そのＩＣタグ１ａの情報にページ変更操作情報が含まれているか否かを判定する（ｓ１３）。このとき、ＩＣタグ１ａにページ変更操作情報が含まれておれば、ページ変更表示処理部２ｌは、このページ変更操作情報に基づいて、監視機能画面選択部２ｅで予め選択された複数ページに渡る監視機能画面の内から所定のページを選択し、これを監視機能画面更新情報作成部２ｇに与える（ｓ１６）。所定のページの選択後はｓ９に戻ってプラントデータを取り込み、画面の更新表示に移行する。これにより、表示装置３には選択表示された監視機能画面の内からページ前進／後進、あるいはスクロールされた後の所望のページの画面が表示される。
【００４９】
なお、ｓ１３でＩＣタグ１ａの情報にページ変更操作情報が含まれていないと判定したときには、入力判定部２ｂは、続いて、他のＩＣタグ１ａから入力される情報に他の機能選択情報が含まれているか否かを判定する（ｓ１７）。そして、ＩＣタグ１ａに他の監視機能画面の機能選択情報が含まれておれば図４のｓ７に戻り、その機能選択情報に基づく新たな監視機能画面の表示処理に移行する。また、メイン画面表示要求であれば図４のｓ１に戻る。
その他の処理ステップは、実施の形態１と同じであるから、ここでは詳しい説明は省略する。
【００５０】
以上のように、この実施の形態３では、プラントを監視する際に、選択表示された監視機能画面が複数ページに渡る場合において、監視機能画面のページを変えたりスクロールして所望のページを表示したいときには、必要なページ変更操作情報が記録されたＩＣタグ１ａを使用することにより、ページの前進／後進操作、あるいはスクロール操作が自動的に行われて円滑に所要のページを得ることができる。このため、従来のように、タッチパネルやマウスを操作してページ前進／後進を必要ページ数分だけ操作したり、連続でスクロールボタンを押すといった操作が不要となり、オペレータの負担を軽減することができる。
【００５１】
なお、この実施の形態３では、監視機能画面のページ送りを行ったり、スクロールする場合を例にとって説明したが、選択表示された監視機能画面内の表示項目だけを変更したりスクロールしたい場合にも同様に適用することができる。
【００５２】
実施の形態４．
図１１はこの実施の形態４においてＩＣタグ１ａに書き込まれている情報の説明図、図１２はこの実施の形態４におけるプラント監視装置の要部を示す構成図である。
【００５３】
プラントを監視する際、選択表示された監視機能画面が複数ページに渡っていて表示装置３にそれらの各ページの監視機能画面を一括して表示できない場合、監視機能画面の各ページを所定周期（例えば数十秒周期や数分周期）で前進／後進して表示したり、あるいは所定周期でスクロール表示したい場合がある。
【００５４】
そこで、この実施の形態４において、ＩＣタグ１ａには、図１１に示すように、選択表示された監視機能画面内の各ページを所定周期で前進／後進操作したり、あるいは所定周期でスクロール操作したり、さらには周期操作停止を行うためのページ表示周期変更操作情報が記録されている。
【００５５】
一方、プラント監視装置のデータ処理装置２には、図１２に示すように、ページ表示周期変更処理部２ｍが付設されている。そして、入力判定部２ｂでＩＣタグ１ａからの入力情報を判定し、ページ表示周期変更操作情報が含まれていると、この情報に基づいて、ページ表示周期変更処理部２ｍにおいて監視機能画面選択部２ｅで予め選択された監視機能画面の各ページの表示周期を設定し、選択された監視機能画面とそのページの表示周期の情報とを監視機能画面更新情報作成部２ｇに与える。これにより、表示装置３には選択表示された監視機能画面の各ページが所定周期で前進／後進、あるいは所定周期でスクロール表示されるようになっている。
【００５６】
なお、ＩＣタグ１ａからのページ表示周期変更操作情報として周期停止情報が含まれている場合は周期停止設定部２ｎは設定され表示周期を解除する。
その他の構成は図１に示した実施の形態１と同様であるから、ここでは詳しい説明は省略する。
【００５７】
次に、この実施の形態４のプラント監視装置におけるデータ処理装置２の具体的な制御動作について、図１３に示すフロー図に基づいて説明する。
【００５８】
図１３において、ｓ８で監視機能画面が選択表示されるまでの処理ステップは、図４に示したフロー図のｓ１〜ｓ８の場合と同じである。さらに、図１３のｓ９〜ｓ１２までの処理ステップの内容も図４に示したフロー図のｓ９〜ｓ１２と同じである。
【００５９】
ここで、ｓ１２においてＩＣタグ１ａの情報を読み込むと、入力判定部２ｂは、そのＩＣタグ１ａの情報にページ表示周期変更操作情報が含まれているか否かを判定する（ｓ１３）。このとき、ＩＣタグ１ａにページ表示周期変更操作情報が含まれておれば、次に、このページ表示周期変更操作情報は周期停止情報か否かを判定する（ｓ１８）。周期停止情報でなければ、ページ表示周期変更処理部２ｍは、このページ表示周期変更操作情報に基づいて、ページ表示周期変更処理部２ｍにおいて監視機能画面選択部２ｅで予め選択された監視機能画面の各ページの表示周期を設定し（ｓ１９）、選択された監視機能画面とそのページの表示周期の情報とを監視機能画面更新情報作成部２ｇに与える（ｓ１６）。そこで、監視機能画面更新情報作成部２ｇは、選択された監視機能画面のページが所定周期で変更されるように順次画面情報を作成する（ｓ２０）。
【００６０】
これにより、表示装置３には、選択表示された監視機能画面の各ページが所定周期で前進／後進、あるいは所定周期でスクロール表示される。そして、ｓ９に戻ってプラントデータを取り込み、画面の更新表示に移行する。したがって、各ページが所定周期で前進／後進、あるいは所定周期でスクロール表示される場合でも、各ページで必要とするプラントデータの書き換えが行われる。
【００６１】
また、ｓ１８においてＩＣタグ１ａからのページ表示周期変更操作情報が周期停止情報である場合は、周期停止設定部２ｎによって設定された周期が解除されて所定周期で前進／後進、あるいは所定周期でスクロール表示されていたページの画面がフリーズされる（ｓ２１）。
【００６２】
なお、ｓ１３でＩＣタグ１ａの情報にページ変更操作情報が含まれていないと判定したときには、入力判定部２ｂは、続いて、他のＩＣタグ１ａから入力される情報に他の機能選択情報が含まれているか否かを判定する（ｓ１７）。そして、ＩＣタグ１ａに他の監視機能画面の機能選択情報が含まれておれば図４のｓ７に戻り、その機能選択情報に基づく新たな監視機能画面の表示処理に移行する。また、メイン画面表示要求であれば図４のｓ１に戻る。
その他の処理ステップは、実施の形態１と同じであるから、ここでは詳しい説明は省略する。
【００６３】
以上のように、この実施の形態４では、プラントを監視する際、選択表示された監視機能画面が複数ページに渡っていて、これらのページを所定周期で前進／後進して表示したり、あるいは所定周期でスクロール表示したいときには、ページ表示周期変更操作情報が記録されたＩＣタグ１ａを使用することにより、所定周期でページの前進／後進操作、あるいは所定周期でスクロール操作が自動的に行われる。このため、従来のように、タッチパネルやマウスを操作してページ前進／後進を繰り返し操作したり、長時間にわたってスクロールボタンを押し続けるといった操作が不要となり、オペレータの負担を軽減することができる。
【００６４】
なお、この実施の形態４では、選択表示された監視機能画面を所定周期でページ送りしたり、所定周期でスクロールする場合を例にとって説明したが、監視機能画面内の表示項目だけを所定周期で変更したりスクロールしたい場合にも同様に適用することができる。
【００６５】
実施の形態５．
図１４はこの実施の形態５においてＩＣタグ１ａに書き込まれている情報の説明図、図１５はこの実施の形態５におけるプラント監視装置の要部を示す構成図である。
【００６６】
プラントを監視する際、選択表示された監視機能画面に対応する監視機能に関連して、プラントを監視するため評価基準となるパラメータなどを設定したい場合がある。例えば、プラントの温度監視を行うために、プラントデータの監視温度が閾値を越えたときに監視機能画面に警報を表示したいような場合には、上記の閾値を評価基準のパラメータとして設定することが必要になる。
【００６７】
そこで、この実施の形態５において、ＩＣタグ１ａには、図１４に示すように、プラント監視のための評価基準となるパラメータなど、監視機能に関連した設定データ、例えば設定データの種別、設定範囲、設定データの値などが記録されている。
【００６８】
一方、プラント監視装置のデータ処理装置２には、図１５に示すように、設定データ処理部２ｏが付設されている。そして、入力判定部２ｂでＩＣタグ１ａからの入力情報を判定し、設定データが含まれていると、設定データ処理部２ｏは、この設定データに基づいて所定の設定エリアにこの設定データを内部設定して入力されるプラントデータを監視するとともに、設定データに基づく表示情報を作成し、この表示情報を監視機能画面更新情報作成部２ｇに与えるので、監視機能画面更新情報作成部２ｇでこの表示情報によって選択表示されている監視機能画面の表示内容が更新されるようになっている。
その他の構成は図１に示した実施の形態１と同様であるから、ここでは詳しい説明は省略する。
【００６９】
次に、この実施の形態５のプラント監視装置におけるデータ処理装置２の具体的な制御動作について、図１６に示すフロー図に基づいて説明する。
【００７０】
図１６において、ｓ８で監視機能画面が選択表示されるまでの処理ステップは、図４に示したフロー図のｓ１〜ｓ８の場合と同じである。さらに、図１６のｓ９〜ｓ１２までの処理ステップの内容も図４に示したフロー図（実施の形態１）のｓ９〜ｓ１２と同じである。
【００７１】
ここで、ｓ１２においてＩＣタグ１ａの情報を読み込むと、入力判定部２ｂは、そのＩＣタグ１ａの情報に設定データが含まれているか否かを判定する（ｓ１３）。このとき、ＩＣタグ１ａに設定データが含まれておれば、設定データ処理部２ｏは、予めデータベースとして確保されている図示しない設定エリアにこの設定データを内部設定してプラントデータを監視するとともに（ｓ２２）、設定データに基づく表示情報を作成し、この表示情報を監視機能画面更新情報作成部２ｇに与える。
【００７２】
そこで、監視機能画面更新情報作成部２ｇは、選択された監視機能画面に設定データに基づく表示情報が付加された新たな表示情報を作成する（ｓ２３）。これにより、選択表示されている監視機能画面内の表示内容が設定データに基づいて更新される。設定データに基づく表示内容の更新後はｓ９に戻ってプラントデータを取り込み、このデータによる画面の更新表示に移行する。
【００７３】
なお、ｓ１３でＩＣタグ１ａの情報に設定データが含まれていないと判定したときには、入力判定部２ｂは、続いて、他のＩＣタグ１ａから入力される情報に他の機能選択情報が含まれているか否かを判定する（ｓ１７）。そして、ＩＣタグ１ａに他の監視機能画面の機能選択情報が含まれておればｓ７に戻り、その機能選択情報に基づく新たな監視機能画面の表示処理に移行する。また、メイン画面表示要求であればｓ１に戻る。
その他の処理ステップは、実施の形態１と同じであるから、ここでは詳しい説明は省略する。
【００７４】
以上のように、この実施の形態５では、プラント監視中に監視機能に関連した設定データを設定する場合に、設定データを記録されたＩＣタグ１ａを使用することにより、プラント監視装置の内部にデータが設定され、かつ選択表示された監視機能画面内に設定結果が表示されるので、データ設定の手間を省くことができる。
【００７５】
また、従来は、タッチパネルやマウスなどを操作して設定データ入力ウィンドウを開いて、手操作で入力を行った後に初めてデータの設定処理が可能になるため、監視機能画面が隠された状態でなるといった不便を生じていたが、この実施の形態５ではデータ設定処理の間も監視機能画面の表示が阻害されることはなく便利である。
【００７６】
実施の形態６．
図１７はこの実施の形態６においてＩＣタグ１ａに書き込まれている情報の説明図、図１８はこの実施の形態６におけるプラント監視装置の要部を示す構成図である。
【００７７】
実施の形態１〜５では、選択表示される監視機能画面は一つの監視機能に関するものであったが、プラントを監視する際には、複数の監視機能画面を一括してマルチ画面として表示して複数の監視機能を同時に監視、操作したい場合がある。
【００７８】
そこで、この実施の形態６において、ＩＣタグ１ａには、図１７に示すように、複数の機能選択情報を同時選択する複数機能選択情報が書き込まれている。この場合の複数機能選択情報としては、例えば、図３に示した機能階層構造において、階層１の機能１、階層１の機能２、階層２の機能ｈ、…などの機能を同時選択する情報が記録されている。また、このＩＣタグには、複数機能選択情報により同時選択された複数の監視機能に対応した複数の監視機能画面を一括してマルチ画面として表示する場合の表示形態を設定するマルチ画面表示情報が書き込まれている。
【００７９】
一方、プラント監視装置のデータ処理装置２には、図１８に示すように、監視機能マルチ画面更新情報作成部２ｐが付設されている。そして、入力判定部２ｂでＩＣタグ１ａからの入力情報を判定し、複数機能選択情報が入力されたときには、監視機能画面選択部２ｅは、この複数機能選択情報に基づいて監視機能画面保有部２ｆが保有している監視機能画面の内から複数の監視機能画面を同時選択し、この同時選択された複数の監視機能画面をマルチ画面表示情報と共に監視機能マルチ画面更新情報作成部２ｐに与える。
【００８０】
そして、監視機能マルチ画面更新情報作成部２ｐは、マルチ画面表示情報を参照して同時選択された複数の監視機能画面の各画面毎にプラントデータが付加された表示情報を作成する。そして、この表示情報が表示画面出力部２ｉから表示装置３に出力されるので、表示装置３にはＩＣタグ１ａに記録された情報により選択された複数の監視機能画面が一括してマルチ画面として表示される。
その他の構成は図１に示した実施の形態１と同様であるから、ここでは詳しい説明は省略する。
【００８１】
次に、この実施の形態６のプラント監視装置におけるデータ処理装置２の具体的な制御動作について、図１９に示すフロー図に基づいて説明する。
【００８２】
図１９において、ＩＣタグ１ａの情報を読み込んでＩＣタグ１ａの情報に、階層化された監視機能の内の一つの監視機能を選択する機能選択情報が有るか否かを判別するｓ６まで処理ステップは、図４に示したフロー図のｓ１〜ｓ６の場合と同じである。
【００８３】
ここで、ｓ６で機能選択情報が有れば、図４のフロー図のｓ７に進む。また、ｓ６で機能選択情報がなければ、次に、入力判定部２ｂは、ＩＣタグ１ａに複数機能選択情報が有るか否かを判定する（ｓ２４）。このとき、複数機能選択情報が含まれておれば、次段のｓ２５に移行し、含まれていなければ処理終了となる。
【００８４】
ｓ２５において、監視機能画面選択部２ｅは、ＩＣタグ１ａに書き込まれている複数機能選択情報に基づいて監視機能画面保有部２ｆが保有している監視機能画面の内から複数の監視機能画面を一度に選択して監視機能マルチ画面更新情報作成部２ｐに与えるので、監視機能マルチ画面更新情報作成部２ｐは、ＩＣタグ１ａに記録されている表示形態を設定するマルチ画面表示情報を参照して、選択された複数の監視機能画面を一括してマルチ画面として表示する表示処理（ｓ２６）、プラントデータ入力処理（ｓ９）、監視機能画面更新表示処理（ｓ２７）を行う。これにより、表示装置３にはプラントデータを反映した複数の監視機能のマルチ画面が表示される。
【００８５】
そして、入力判定部２ｂは、他のＩＣタグ１ａからの情報入力が有るか否かを判定し（ｓ１１）、ＩＣタグ１ａからの情報入力が無ければｓ９に戻る。他のＩＣタグ１ａからの情報入力が有ると、ＩＣタグ１ａの情報を読み込み（ｓ１２）、そのＩＣタグ１ａの情報に他の機能選択情報が含まれているか否かを判定する（ｓ１３）。このとき、ＩＣタグ１ａに監視機能画面の機能選択情報が含まれておれば図４のフロー図で示すｓ７に移行し、その機能選択情報に基づく新たな監視機能画面の表示処理を実行する。また、メイン画面表示要求であればｓ１に戻る。
【００８６】
以上のように、この実施の形態６では、複数機能選択情報を記録したＩＣタグ１ａを使用することにより、複数の監視機能画面がマルチ画面として直ちに一括表示されるので、複数機能を一つのマルチ画面上で監視、操作することが可能となる。すなわち、従来は、マルチ画面表示情報の入力ウィンドウを開いて、監視機能の選択情報を複数機能分だけ手入力を行った後にマルチ画面表示が可能となるので、多くの情報入力が必要となるのに対して、この実施の形態６ではＩＣタグ１ａを使用すれば何回でも同じマルチ画面が直ちに表示されるため、操作の手間を大幅に削減することができる。
【００８７】
実施の形態７．
図２０はこの実施の形態７においてＩＣタグ１ａに書き込まれている情報の説明図、図２１はこの実施の形態７におけるプラント監視装置の要部を示す構成図である。
【００８８】
上記の実施の形態６では、プラントを監視する際に複数の監視機能画面を一括してマルチ画面として表示して複数機能を監視、操作する場合について説明したが、このようにマルチ画面表示されている複数の監視機能画面の内の一つを選択して全面に拡大表示し、その詳細を観察したい場合がある。
【００８９】
そこで、この実施の形態７において、ＩＣタグ１ａには、図２０に示すように、一つのマルチ画面に表示されている複数の監視機能画面の内から特定の監視機能画面を抽出するマルチ画面内機能抽出情報が記録されている。このマルチ画面内機能抽出情報としては、例えば、マルチ画面の種別、および実施の形態１と同様に最終的に所望の監視機能画面が抽出されるように機能選択情報（機能階層構造の階層１の機能２の選択、階層２の機能ｅの選択、階層３の機能オの選択、…など）が記録されている。
【００９０】
一方、プラント監視装置のデータ処理装置２には、図２１に示すように、監視機能画面抽出処理部２ｑが付設されている。そして、入力判定部２ｂでＩＣタグ１ａからの入力情報を判定し、マルチ画面内機能抽出情報が入力されたときには、監視機能画面抽出処理部２ｑがこのマルチ画面内機能抽出情報に基づいてマルチ画面内に表示されている複数の監視機能画面の内から一つの監視機能画面を抽出し、その抽出した一つの監視機能画面の表示情報を監視機能画面更新情報作成部２ｇに与える。
【００９１】
監視機能画面更新情報作成部２ｇは、抽出された監視機能画面にプラントデータが付加された表示情報を作成する。そして、この表示情報が表示画面出力部２ｉから表示装置３に出力されるので、表示装置３にはマルチ画面内に表示されている複数の監視機能画面の内からＩＣタグ１ａの情報により抽出された一つの監視機能画面が拡大表示される。
その他の構成は図１に示した実施の形態１と同様であるから、ここでは詳しい説明は省略する。
【００９２】
次に、この実施の形態７のプラント監視装置におけるデータ処理装置２の具体的な制御動作について、図２２に示すフロー図に基づいて説明する。
【００９３】
図２２において、ＩＣタグ１ａの情報を読み込んでＩＣタグ１ａの情報に複数機能選択情報が有るか否かを判別するｓ２４まで処理ステップは、図１９に示したフロー図（実施の形態６）の場合と同じである。さらに、図２２のｓ２５，ｓ２６の処理ステップの内容も図１９に示したフロー図のｓ２５，ｓ２６と同じである。
【００９４】
ここで、ｓ２６で複数の監視機能画面が一括してマルチ画面として表示された状態において、入力判定部２ｂは、ＩＣタグ１ａの情報にマルチ画面内機能抽出情報が含まれているか否かを判定する（ｓ２８）。ＩＣタグ１ａの情報にマルチ画面内機能抽出情報が含まれていない場合には、図１９に示したフロー図（実施の形態６）のｓ９に移行するので、マルチ画面表示が継続される。
【００９５】
一方、ｓ２８でＩＣタグ１ａの情報にマルチ画面内機能抽出情報が入力されたときには、監視機能画面抽出処理部２ｑがこのマルチ画面内機能抽出情報に基づいて、監視機能画面選択部２ｅで選択された複数の監視機能画面の内から一つの監視機能画面を抽出する（ｓ２９）。そして、その抽出した一つの監視機能画面を監視機能画面更新情報作成部２ｇに与える。監視機能画面更新情報作成部２ｇは、こうして抽出された監視機能画面の表示情報を作成する。そして、この表示情報が表示画面出力部２ｉから表示装置３に出力されるので、表示装置３にはマルチ表示されている複数の監視機能画面の内からＩＣタグ１ａの情報により抽出された一つの監視機能画面が拡大表示される（ｓ３０）。以降は、図１９に示したフロー図（実施の形態６）のｓ９に移行する。
【００９６】
以上のように、この実施の形態７では、マルチ画面内機能抽出情報が記録されたＩＤタグを使用することにより、小さなウィンドウでマルチ画面内に表示されている複数の監視画面の内の一つが抽出されて直ちに全面に拡大表示される。また、実施の形態６で説明した複数機能選択情報が記録されたＩＤタグを使用すれば、拡大表示状態から直ちに元のマルチ画面が表示される。このため、従来に較べて監視機能画面のマルチ画面表示や、マルチ画面表示されている複数の監視機能画面の内から一つの監視機能画面を選択して拡大表示する場合の操作の手間を従来に較べて大幅に削減することができる。
【図面の簡単な説明】
【００９７】
【図１】本発明の実施の形態１におけるプラント監視装置の全体を示す構成図である。
【図２】プラントに対する監視機能が分類されて階層構造になってデータベース化されている状態の一例を示す説明図である。
【図３】本発明の実施の形態１においてＩＣタグに書き込まれている情報の説明図である。
【図４】本発明の実施の形態１におけるデータ処理装置の処理内容を示すフロー図である。
【図５】本発明の実施の形態２においてＩＣタグに書き込まれている情報の説明図である。
【図６】本発明の実施の形態２におけるプラント監視装置の要部を示す構成図である。
【図７】本発明の実施の形態２におけるデータ処理装置の処理内容を示すフロー図である。
【図８】本発明の実施の形態３においてＩＣタグに書き込まれている情報の説明図である。
【図９】本発明の実施の形態３におけるプラント監視装置の要部を示す構成図である。
【図１０】本発明の実施の形態３におけるデータ処理装置の処理内容を示すフロー図である。
【図１１】本発明の実施の形態４においてＩＣタグに書き込まれている情報の説明図である。
【図１２】本発明の実施の形態４におけるプラント監視装置の要部を示す構成図である。
【図１３】本発明の実施の形態４におけるデータ処理装置の処理内容を示すフロー図である。
【図１４】本発明の実施の形態５においてＩＣタグに書き込まれている情報の説明図である。
【図１５】本発明の実施の形態５におけるプラント監視装置の要部を示す構成図である。
【図１６】本発明の実施の形態５におけるデータ処理装置の処理内容を示すフロー図である。
【図１７】本発明の実施の形態６においてＩＣタグに書き込まれている情報の説明図である。
【図１８】本発明の実施の形態６におけるプラント監視装置の要部を示す構成図である。
【図１９】本発明の実施の形態６におけるデータ処理装置の処理内容を示すフロー図である。
【図２０】本発明の実施の形態７においてＩＣタグに書き込まれている情報の説明図である。
【図２１】本発明の実施の形態７におけるプラント監視装置の要部を示す構成図である。
【図２２】本発明の実施の形態７におけるデータ処理装置の処理内容を示すフロー図である。
【符号の説明】
【００９８】
１ａ  ＩＣタグ書込装置、１ｂ  ＩＣタグ、１ｃ  ＩＣタグ読取装置、
２  データ処理装置、２ａ  ＩＣタグ入力部、２ｂ  入力判定部、
２ｃ  メイン画面保有部、２ｄ  メイン画面更新情報作成部、
２ｅ  監視機能画面選択部、２ｆ  監視機能画面保有部、
２ｇ  監視機能画面更新情報作成部、２ｈ  プラントデータ入力部、
２ｉ  表示画面出力部、２ｊ  出力データ作成部、２ｋ  出力処理部、
２ｌ  ページ変更表示処理部、２ｍ  ページ表示周期変更処理部、
２ｎ  周期停止設定部、２ｏ  設定データ処理部、
２ｐ  監視機能マルチ画面更新情報作成部、２ｑ  監視機能画面抽出処理部、
３  表示装置、４  プラントデータ入力装置、５  プラント。
【図１】
2007310802.tif 000003
【図２】
2007310802.tif 000004
【図３】
2007310802.tif 000005
【図４】
2007310802.tif 000006
【図５】
2007310802.tif 000007
【図６】
2007310802.tif 000008
【図７】
2007310802.tif 000009
【図８】
2007310802.tif 000010
【図９】
2007310802.tif 000011
【図１０】
2007310802.tif 000012
【図１１】
2007310802.tif 000013
【図１２】
2007310802.tif 000014
【図１３】
2007310802.tif 000015
【図１４】
2007310802.tif 000016
【図１５】
2007310802.tif 000017
【図１６】
2007310802.tif 000018
【図１７】
2007310802.tif 000019
【図１８】
2007310802.tif 000020
【図１９】
2007310802.tif 000021
【図２０】
2007310802.tif 000022
【図２１】
2007310802.tif 000023
【図２２】
2007310802.tif 000024